(57)【要約】【課題】  着用した際に涼しさや快適性を感じることができ、着用中に風などが吹いた場合にも、大きく揺れることのないネクタイを提供する。【解決手段】  着用された衣服の襟首部分に巻き付けた後、緊締することにより装着するように構成されたネクタイであって、保冷剤を収納するためのポケット部を有することを特徴とするネクタイ。【選択図】    図１
2006009211.tif 000002
【特許請求の範囲】
【請求項１】
着用された衣服の襟首部分に巻き付けた後、緊締することにより装着するように構成されたネクタイであって、
保冷剤を収納するためのポケット部を有することを特徴とするネクタイ。
【請求項２】
着用された衣服の襟首部分に巻き付けた後、緊締することにより装着するように構成されたネクタイであって、
吸水性繊維又は吸水性物質を含んでいることを特徴とするネクタイ。
【請求項３】
着用された衣服の襟首部分に巻き付けた後、緊締することにより装着するように構成されたネクタイであって、
名刺を収納するためのポケット部を有することを特徴とするネクタイ。
【発明の詳細な説明】
【技術分野】
【０００１】
本発明は、快適で便利に使用することができるネクタイに関する。
【背景技術】
【０００２】
従来から、ネクタイは、サラリーマンのスーツ、学生の制服等の衣服に合わせて着用する装飾用品として、幅広い年齢層に使用されている。
このネクタイは、芯地とネクタイ生地と裏地とからなり、一般的な形状は、小剣部から大剣部に至る帯状のものであり、大剣部や小剣部は、その幅が場所によって異なっているが、ネクタイ中間部の両側縁は、略直線状に形成されている。
【０００３】
一般に、ネクタイを結ぶ（緊締する）際には、大剣部の表地が前面側に、大剣部の裏面側には大剣部の先端より１〜５ｃｍ程度上方に小剣部の先端が位置するように、シャツの襟首の部分に結ぶのが普通である。このとき、ネクタイ中間部がシャツの襟首の部分にくるようになる。
【０００４】
サラリーマンがネクタイを着用するのは、主に自分の仕事を行っているときであり、特に営業等の職業においては、ネクタイは必需品であり、ネクタイを締めて顧客との商談を行うのが常である。
【０００５】
このように、きちんとネクタイを緊締した状態では、シャツの襟の部分が閉じられた状態となるため、特に夏になると汗をかき易くなり、シャツが濡れて肌と接触し、気持ち悪くなるのは、誰もが経験することである。
【０００６】
そこで、衣服や下着を快適に着用することができるように、従来から冷却機能を有する衣類や冷却体を具備したシャツ等が提案されている（例えば、特許文献１、特許文献２、特許文献３参照）。
【０００７】
【特許文献１】特開２０００−２９０８１１号公報
【特許文献２】特開２０００−２１２８０７号公報
【特許文献３】実用新案登録第３１００６５９号公報
【発明の開示】
【発明が解決しようとする課題】
【０００８】
このように衣類については、着用した際に涼しく過ごすための様々な提案がなされているものの、ネクタイに関しては、直接、肌に接するものではないので、涼しくかつ快適に着用することができるようなネクタイの提案は、なされていないのが現状である。
【０００９】
上述のように、サラリーマンがネクタイを着用した際には、新しい顧客や知人等と接する機会も多いが、勘違い等によって名刺を用意できていない場合もあり、特に相手が顧客の場合には、折角のビジネスチャンスを逃すこととなる場合もある。
【００１０】
本発明は、上述した課題に鑑みてなされたものであり、その目的は、着用した際に涼しさや快適性を感じることができ、顧客とのビジネス等においても、ビジネスチャンスを逃すことのない有用なネクタイを提供することにある。
【課題を解決するための手段】
【００１１】
以上のような目的を達成するために、本発明は、以下のようなものを提供する。
（１）着用された衣服の襟首部分に巻き付けた後、緊締することにより装着するように構成されたネクタイであって、
保冷剤を収納するためのポケット部を有することを特徴とするネクタイ。
【００１２】
（１）の発明によれば、本発明のネクタイは、保冷剤を収納するためのポケット部を有するので、このポケット内に保冷剤を収納することができる。その結果、保冷剤は、シャツ等を介して身体を冷却することとなり、着用者は、涼しさを感じることができ、快適に過ごすことができる。
また、例えば、上記ネクタイ中間部に、薄いシート状の保冷剤を収納するためのポケット部を形成し、そのなかに保冷剤を入れて襟首に巻きつけるようにすれば、一番汗をかきやすい首筋をシート状の保冷剤で冷やすことができるため、首筋が余り汗をかかなくてすみ、より快適に過ごすことができる。
【００１３】
さらに、本発明は、以下のようなものを提供する。
（２）着用された衣服の襟首部分に巻き付けた後、緊締することにより装着するように構成されたネクタイであって、
吸水性繊維又は吸水性物質を含んでいることを特徴とするネクタイ。
【００１４】
ネクタイを締めた場合には、首筋のあたりに汗をかきやすいが、（２）の発明によれば、本発明のネクタイは、吸水性繊維又は吸水性物質を含んでいるので、襟首のあたりに発生した汗を、シャツを介して吸い取ることができる。その結果、着用者は、汗を感じずに快適に過ごすことができる。
また、特に、上記ネクタイ中間部に、吸水性繊維又は吸水性物質を多く存在させれば、より効率よく汗を吸い取ることができ、より快適に過ごすことができる。
【００１５】
さらに、本発明は、以下のようなものを提供する。
（３）着用された衣服の襟首部分に巻き付けた後、緊締することにより装着するように構成されたネクタイであって、
名刺を収納するためのポケット部を有することを特徴とするネクタイ。
【００１６】
（３）の発明によれば、ポケット部に名刺を入れておくことができるので、着用者が緊急に名刺を差し出す必要が生じた場合であって、名刺入等を忘れた場合にも、直ぐに名刺を差し出すことができ、ビジネスチャンスを逃さず、的確にとらえることができる。
【発明の効果】
【００１７】
本発明によれば、着用した際に涼しさや快適性を感じることができ、顧客とのビジネス等においても、ビジネスチャンスを逃すことのない、ビジネス等において極めて有用なネクタイを提供することが可能になる。
【発明を実施するための最良の形態】
【００１８】
［第１実施形態］
まず、第１実施形態に係るネクタイについて説明する。
第１実施形態に係るネクタイは、着用された衣服の襟首部分に巻き付けた後、緊締することにより装着するように構成されたネクタイであって、
保冷剤を収納するためのポケット部を有することを特徴とするネクタイである。
【００１９】
図１は、本実施形態におけるネクタイの大剣部を示す説明図である。
図１に示すように、第１実施形態に係るネクタイ１０の大剣部１０ａの裏側には、保冷剤９を保持するための２個のポケット部１１ａ、１１ｃ及び保持部１１ｂが形成されている。
保冷剤９は、なるべく大きい方がよいので、大剣部１０ａの形状に合わせて下の幅が大きくなっている。また、保冷剤９は、露出していた方が冷却効果が大きいので、収納部が２つのポケット部１１ａ、１１ｃに分かれており、両者の間に保冷剤９を挿通して保持するための帯状の保持部１１ｂが形成されている。
【００２０】
保冷剤９は特に限定されず、市販のものを使用することができるが、その具体例としては、例えば、アクリル酸重合体部分ナトリウム塩架橋物等の高吸水性樹脂やカルボキシメチルセルロース等が挙げられる。
本実施形態で使用する保冷剤９は、シート状のものが好ましく、図１に示したような幅が少しずつ拡がる形状のものが好ましい。少しずつ拡がる台形形状のものは、市販されていない可能性が高いが、その場合には、公知のシート状の保冷剤をカット等することにより、所定の形状のものを作製することが望ましい。ネクタイ１０の幅いっぱいの保冷剤９を使用することにより、冷却効果がより大きくなる。
【００２１】
このネクタイ１０を実際に着用する場合には、ネクタイ１０を襟首部分に巻き付けて緊締した後、図１に示した形状の保冷剤９の幅が広い方の端部をポケット部１１ａに入れ、保持部１１ｂを挿通させ、保冷剤９の狭い方の端部をポケット部１１ｃに入れることにより固定する。保冷剤９を固定しにくい場合には、ネクタイピン、ネクタイ止め等を用いて固定してもよい。
【００２２】
上記方法により、保冷剤９がネクタイ１０の大剣部１０ａの裏に固定され、保冷剤９は、シャツ等を介して身体を冷却することとなり、着用者は、涼しさを感じることができ、快適に過ごすことができる。
【００２３】
また、ネクタイ１０の大剣部１０ａの裏に保冷剤９が固定されているため、保冷剤９が重りの役割を果たし、風などが吹いた場合にも、ネクタイ１０が大きく揺れるのを防止することができる。
【００２４】
ネクタイ１０をネクタイピン等を用いてシャツに固定した場合には、保冷剤９が衣服と接触するため、より効率的に身体を冷却することができ、快適さが増す。
なお、符号１２は、テープ状部を示しており、ネクタイ１０を着用した際、小剣部（図示せず）をテープ状部１２に挿通させることにより、小剣部を固定するのである。
【００２５】
図１に示した例では、ポケット部を分割して、保冷剤９が露出するようにしていたが、保冷剤９がポケット部に完全に収納されるように、大剣部１０ａに大きなポケットを形成してもよい。
【００２６】
また、保冷剤９による冷却効果をもっと得たい場合には、図２に示したようなネクタイ２０を用いてもよい。
すなわち、図２に示すように、ネクタイ中間部２１ｂに細長いポケット部２１を形成し、その中に、細長いテープ状の保冷剤を入れるようにしてもよい。
【００２７】
この場合には、保冷剤が収納されたネクタイ中間部２１ｂが、衣服の襟首に巻き付くため、一番汗をかきやすい首筋をシート状の保冷剤で冷やすことができ、首筋が余り汗をかかなくてすみ、より快適に過ごすことができる。ただし、この場合には、保冷剤の温度を下げすぎないようにする必要がある。首筋が冷えすぎることとなるからである。
【００２８】
また、図２に示したネクタイ２０とする場合には、保冷剤を収納した部分がネクタイを緊締する部分にかからなるようにする必要がある。緊締部分に保冷剤が存在すると、ネクタイ２０をうまく緊締することができないからである。図１に示したポケット部１１ａ、１１ｃ等と、図２に示したポケット部との両方のポケット部が形成されたネクタイとしてもよい。
【００２９】
図１、２に示したネクタイ１０、２０では、ポケット部１１ａ、１１ｂ、２１及び保持部１１ｂは、布等で作製されていてもよく、網（メッシュ）のようなもので作製されていてもよい。
【００３０】
［第２実施形態］
次に、第２実施形態に係るネクタイについて説明する。
第２実施形態に係るネクタイは、着用された衣服の襟首部分に巻き付けた後、緊締することにより装着するように構成されたネクタイであって、
吸水性繊維又は吸水性物質を含んでいることを特徴とするネクタイである。
【００３１】
上述のように、本実施形態に係るネクタイは、吸水性繊維又は吸水性物質を含んでいる。
上記吸水性繊維は特に限定されるものではないが、アクリル酸重合体部分ナトリウム塩架橋物等の高吸水性樹脂を用いた繊維や綿等の吸水性繊維が挙げられる。
【００３２】
この吸水性繊維は、芯地、ネクタイ生地、裏地のうちの少なくとも一つとして、ネクタイ中間部に織り込まれていてもよく、全体に織り込まれていてもよい。また、ネクタイ全体を吸水性繊維を用いて形成してもよく、吸水性繊維自体を、親水性ポリエステル、ナイロン、アクリル等の吸水性繊維以外の繊維と上記吸水性高分子等とを用いた複合繊維としてもよい。
【００３３】
吸水性物質は、特に限定されるものではないが、上述した吸水性繊維とは異なり、シート状であり、ネクタイに図１や図２に示したポケット部を作製し、該ポケット部に収納する方法をとる。また、この吸水性のシートを芯地として用いても良い。
上記吸水性物質としては、例えば、上述した高吸水性樹脂等が挙げられる。
【００３４】
本実施形態に係るネクタイは、吸水性繊維又は吸水性物質を含んでいるので、襟首のあたりに発生した汗を、シャツを介して吸い取ることができる。その結果、着用者は、汗を感じずに快適に過ごすことができる。
また、特に、上記ネクタイ中間部に、吸水性繊維又は吸水性物質を多く存在させれば、より効率よく汗を吸い取ることができ、より快適に過ごすことができる。
【００３５】
［第３実施形態］
次に、第３実施形態に係るネクタイについて説明する。
第２実施形態に係るネクタイは、着用された衣服の襟首部分に巻き付けた後、緊締することにより装着するように構成されたネクタイであって、
名刺を収納するためのポケット部を有することを特徴とするネクタイである。
【００３６】
図３は、本実施形態におけるネクタイの大剣部を示す説明図である。
図３に示すように、第３実施形態に係るネクタイ３０の大剣部３０ａの裏側には、名刺を収納するためのポケット部３１が形成されている。
この場合には、ポケット部３１に収納された名刺は、見えない方が好ましいので、ポケット部３１は、名刺を完全に収納することができる大きさとなっている。また、ポケット部３１が形成されていることがわからない方が好ましいので、ポケット部３１の柄、模様等は、ネクタイの柄、模様等と同じが近いものとなっていることが望ましい。
【００３７】
実際に、このネクタイ３０を着用する場合には、ネクタイ３０を襟首部分に巻き付けて緊締した後、名刺をポケット部３１に収納すればよい。着用前に、名刺を収納すると、着用時に折れ曲がったりするおそれがあるので、注意を要する。
【００３８】
本実施形態に係るネクタイによれば、ポケット部に名刺を入れておくことができるので、着用者が緊急に名刺を差し出す必要が生じた場合であって、名刺入等を忘れた場合にも、直ぐに名刺を差し出すことができ、ビジネスチャンスを逃さず、的確にとらえることができる。
【００３９】
また、また、ネクタイ３０の大剣部３０ａの裏に名刺が収納されているため、複数の名刺が重りの役割を果たし、風などが吹いた場合にも、ネクタイ３０が大きく揺れるのを防止することができる。
【図面の簡単な説明】
【００４０】
【図１】本発明の一実施形態に係るネクタイを示す説明図である。
【図２】本発明の他の実施形態に係るネクタイを示す説明図である。
【図３】本発明のさらに他の実施形態に係るネクタイを示す説明図である。
【符号の説明】
【００４１】
９  保冷部
１０、２０、３０  ネクタイ
１０ａ、２０ａ、３０ａ  大剣部
２０b  ネクタイ中間部
１１ａ、１１ｃ、２１、３１  ポケット部
１１ｂ  保持部
１２  テープ状部
【図１】
2006009211.tif 000003
【図２】
2006009211.tif 000004
【図３】
2006009211.tif 000005